(57)【要約】【課題】測定装置の目標情報をより容易に管理可能な情報管理装置及び情報管理システムを提供することである。【解決手段】生体情報又は生体の活動情報の測定情報を記憶する記憶装置から前記測定情報を取得し、管理可能な情報管理装置であって、前記測定情報に関する目標情報を入力可能な操作部と、前記記憶装置と通信可能な通信部と、前記操作部から入力された前記目標情報を、前記通信部から前記記憶装置へ送信させることにより、前記記憶装置に記憶されている前記測定情報に関する目標情報を前記操作部から入力された前記目標情報に同期させる制御部と、を備える。【選択図】図５Ａ
2016182249.tif 000002
【特許請求の範囲】
【請求項１】
生体情報又は生体の活動情報の測定情報を記憶する記憶装置から前記測定情報を取得し、管理可能な情報管理装置であって、
前記測定情報に関する目標情報を入力可能な操作部と、
前記記憶装置と通信可能な通信部と、
前記操作部から入力された前記目標情報を、前記通信部から前記記憶装置へ送信させることにより、前記記憶装置に記憶されている前記測定情報に関する目標情報を前記操作部から入力された前記目標情報に同期させる制御部と、を備えることを特徴とする情報管理装置。
【請求項２】
前記通信部は、前記記憶装置へ前記目標情報を送信すると共に、前記記憶装置の前記測定情報を受信することを特徴とする、請求項１に記載の情報管理装置。
【請求項３】
前記制御部は、前記通信部と前記記憶装置との通信が開始された場合に、前記目標情報を、前記通信部から前記記憶装置に送信させることを特徴とする、請求項１又は２に記載の情報管理装置。
【請求項４】
時刻をカウントする時計部を備え、
前記制御部は、前記通信部から前記記憶装置へ、前記目標情報と共に前記時計部の時刻情報を送信させることにより、前記記憶装置の時刻を、前記時計部の時刻に同期させることを特徴とする、請求項１乃至３のいずれか１つに記載の情報管理装置。
【請求項５】
前記操作部は、前記測定情報及び前記測定情報の経時的変動の管理に寄与しない装置情報を入力可能であり、
前記制御部は、前記操作部の操作に基づき、前記装置情報を、前記通信部から前記記憶装置に送信させることを特徴とする、請求項１乃至４のいずれか１つに記載の情報管理装置。
【請求項６】
生体情報又は生体の活動情報の測定情報を記憶する記憶装置と、
前記記憶装置から前記測定情報を取得し、管理可能な情報管理装置と、を備え、
前記情報管理装置は、前記測定情報に関する目標情報を入力可能な操作部と、前記記憶装置と通信可能な通信部と、前記操作部から入力された前記目標情報を、前記通信部から前記測定装置へ送信させる制御部と、を備え、
前記記憶装置は、前記記憶装置に記憶されている目標情報を、前記操作部から入力された前記目標情報に同期することを特徴とする情報管理システム。
【請求項７】
前記記憶装置は、前記通信部と通信可能な記憶装置側通信部、を備え、
前記通信部から前記記憶装置側通信部へと前記目標情報が送信されると共に、前記記憶装置側通信部から前記通信部へと前記測定情報が送信されることを特徴とする、請求項６に記載の情報管理システム。
【請求項８】
前記情報管理装置は時刻をカウントする時計部を備え、
前記制御部は、前記通信部から前記記憶装置へ、前記目標情報と共に前記時計部の時刻情報を送信させることにより、前記記憶装置の時刻を、前記時計部の時刻に同期させることを特徴とする、請求項６又は７に記載の情報管理システム。
【発明の詳細な説明】
【技術分野】
【０００１】
本発明は、情報管理装置及び情報管理システムに関し、特に、生体情報又は生体の活動情報を測定する測定装置の測定情報を管理可能な情報管理装置及び情報管理システムに関する。
【背景技術】
【０００２】
従来から、患者が自宅で自己の血糖値を測定できるように携帯型の血糖計が用いられている。このような測定装置では、多くの測定情報を取得することができる。そのため、医師等の医療従事者が、取得された多くの測定情報を効率的に利用可能にする情報管理装置が提案されている（特許文献１参照）。
【先行技術文献】
【特許文献】
【０００３】
【特許文献１】特開２０１０−８２００９号公報
【発明の概要】
【発明が解決しようとする課題】
【０００４】
特許文献１に記載の血糖値情報処理装置（情報管理装置）によれば、患者が自宅で測定した測定情報をグラフ化等することができるため、医療従事者による測定情報の効率的な利用が促進される。また、患者と医療従事者とが、グラフ化等された測定情報を一緒に確認しながら、現状や今後の改善案などを話し合うことができる点においても有益である。
【０００５】
ところで、実際に血糖計等の測定装置を利用している患者は、測定情報のみを確認しても、直ちに自己が改善に向かっているか否か等が分からない場合があり、改善のための努力を途中で止めてしまうことがある。これに対して、測定情報の目標値となる各種目標情報を測定装置側で設定し、患者が測定情報と目標情報とを比較可能とすることにより、自己の改善状況を認識し易くする測定装置が提案されている。
【０００６】
しかしながら、例えば患者が誤った目標情報を設定している場合や、医師が決定した目標情報を患者が誤操作によって変更してしまう場合など、患者が、不適切な目標情報に基づいて自己の改善状況を誤って認識してしまうおそれがある。
【０００７】
そこで、本発明の目的は、測定装置の目標情報をより容易に管理可能な情報管理装置及び情報管理システムを提供することである。
【課題を解決するための手段】
【０００８】
本発明の第１の態様としての情報管理装置は、生体情報又は生体の活動情報の測定情報を記憶する記憶装置から前記測定情報を取得し、管理可能な情報管理装置であって、前記測定情報に関する目標情報を入力可能な操作部と、前記記憶装置と通信可能な通信部と、前記操作部から入力された前記目標情報を、前記通信部から前記記憶装置へ送信させることにより、前記記憶装置に記憶されている前記測定情報に関する目標情報を前記操作部から入力された前記目標情報に同期させる制御部と、を備えることを特徴とするものである。
【０００９】
本発明の１つの実施形態として、前記通信部は、前記記憶装置へ前記目標情報を送信すると共に、前記記憶装置の前記測定情報を受信することが好ましい。
【００１０】
本発明の１つの実施形態として、前記制御部は、前記通信部と前記記憶装置との通信が開始された場合に、前記目標情報を、前記通信部から前記記憶装置に送信させることが好ましい。
【００１１】
本発明の１つの実施形態としての情報管理装置は、時刻をカウントする時計部を備え、前記制御部は、前記通信部から前記記憶装置へ、前記目標情報と共に前記時計部の時刻情報を送信させることにより、前記記憶装置の時刻を、前記時計部の時刻に同期させることが好ましい。
【００１２】
本発明の１つの実施形態として、前記操作部は、前記測定情報及び前記測定情報の経時的変動の管理に寄与しない装置情報を入力可能であり、前記制御部は、前記操作部の操作に基づき、前記装置情報を、前記通信部から前記記憶装置に送信させることが好ましい。
【００１３】
本発明の第２の態様としての情報管理システムは、生体情報又は生体の活動情報の測定情報を記憶する記憶装置と、前記記憶装置から前記測定情報を取得し、管理可能な情報管理装置と、を備え、前記情報管理装置は、前記測定情報に関する目標情報を入力可能な操作部と、前記記憶装置と通信可能な通信部と、前記操作部から入力された前記目標情報を、前記通信部から前記測定装置へ送信させる制御部と、を備え、前記記憶装置は、前記記憶装置に記憶されている目標情報を、前記操作部から入力された前記目標情報に同期することを特徴とするものである。
【００１４】
本発明の１つの実施形態として、前記記憶装置は、前記通信部と通信可能な記憶装置側通信部、を備え、前記通信部から前記記憶装置側通信部へと前記目標情報が送信されると共に、前記記憶装置側通信部から前記通信部へと前記測定情報が送信されることが好ましい。
【００１５】
本発明の１つの実施形態として、前記情報管理装置は時刻をカウントする時計部を備え、前記制御部は、前記通信部から前記記憶装置へ、前記目標情報と共に前記時計部の時刻情報を送信させることにより、前記記憶装置の時刻を、前記時計部の時刻に同期させることが好ましい。
【発明の効果】
【００１６】
本発明によれば、測定装置の目標情報をより容易に管理可能な情報管理装置及び情報管理システムを提供することができる。
【図面の簡単な説明】
【００１７】
【図１】本発明の１つの実施形態としての情報管理システムの概要を示す図である。
【図２】図１に示す情報管理システムの構成を示すブロック図である。
【図３】図１に示す情報管理装置の表示部を表示された画面と共に示す図である。
【図４】図１に示す情報管理装置の表示部を表示された画面と共に示す図である。
【図５Ａ】図１に示す情報管理装置に設定された目標情報を血糖計及び歩行強度計に設定する概要を示す図である。
【図５Ｂ】図１に示す情報管理装置に設定された目標情報を血圧計及び体組成計に設定する概要を示す図である。
【図６Ａ】図１に示す情報管理装置から情報記憶装置を介さずに測定装置の目標情報を設定する設定方法を示すフローチャート図である。
【図６Ｂ】図１に示す情報管理装置から情報記憶装置を介して測定装置の目標情報を設定する設定方法を示すフローチャート図である。
【発明を実施するための形態】
【００１８】
以下、本発明に係る情報管理装置及び情報管理システムの実施形態について、図１〜図６を参照して説明する。なお、各図において共通の部材には、同一の符号を付している。
【００１９】
図１は、本発明に係る情報管理システムの１つの実施形態としての情報管理システム１００の概要を示す図である。図１に示すように、情報管理システム１００は、本発明に係る情報管理装置の１つの実施形態としての情報管理装置１と、プリンタ２と、記憶装置としての測定装置３及び情報記憶装置４と、を備えている。
【００２０】
情報管理装置１は、例えばＵＳＢ（Universal Serial Busの略）ケーブル等を介してプリンタ２と有線接続されており、プリンタ２と通信可能である。また、情報管理装置１は、記憶装置としての測定装置３及び情報記憶装置４と有線通信又は無線通信することができる。なお、図１では、情報管理装置１が測定装置３及び情報記憶装置４と無線通信する例を示している。
【００２１】
測定装置３は、血糖計９０、血圧計９１、体組成計９２、体温計９３、運動量等を測定する歩行強度計９４（活動量計）、動脈血酸素飽和度を測定するパルスオキシメータ９５など、生体情報又は生体の活動情報を測定可能な装置である。情報管理装置１は、これら多種多様な測定装置３により測定された測定情報を、測定装置３や情報記憶装置４から取得し、一元管理することが可能である。
【００２２】
情報記憶装置４は、例えばＩＣカード（Integrated Circuit cardの略）など、測定装置３の測定情報を取得及び記憶可能なものである。情報記憶装置４は、例えばそれ自体の持ち運びが困難な測定装置３から測定情報を取得し、その測定情報を記憶することにより、測定情報の持ち運びを実現可能にする。具体的に、情報記憶装置４は、測定装置３と有線通信又は無線通信（図１では無線通信を例示）することにより、測定装置３の測定情報を受信及び記憶することができる。また、情報記憶装置４は、情報管理装置１と有線通信又は無線通信することにより、記憶した測定装置３の測定情報を情報管理装置１に送信することができる。
【００２３】
なお、情報記憶装置４は、上述した測定装置３としての血糖計９０、血圧計９１、体組成計９２、体温計９３、歩行強度計９４、及びパルスオキシメータ９５の測定情報を受信及び記憶することができるが、図１では、血糖計９０及び歩行強度計９４は、情報記憶装置４を介することなく情報管理装置１に測定情報を送信する例を示し、血圧計９１、体組成計９２、体温計９３、及びパルスオキシメータ９５は、情報記憶装置４に測定情報を送信し、情報記憶装置４から情報管理装置１に測定情報を送信する例を示している。
【００２４】
このように、図１に示す情報管理システム１００では、測定装置３により測定された測定情報を、測定装置３から情報管理装置１に直接的又は情報記憶装置４を介して間接的に供給することができ、情報管理装置１は、測定装置３又は情報記憶装置４から取得した測定情報を一元管理することができる。
【００２５】
なお、図１に示す情報管理システム１００におけるプリンタ２は、情報管理装置１と通信可能に接続されているが、測定装置３や情報記憶装置４と通信可能に接続されていてもよい。
【００２６】
以下、情報管理システム１００の各装置について詳細に説明する。
【００２７】
[測定装置３]
図２は、情報管理システム１００の構成を示すブロック図である。図２に示すように、測定装置３は、患者の生体情報又は活動情報を測定可能な測定部５と、この測定部５が測定した測定情報を記憶する記憶部６と、この記憶部６が記憶した測定情報を情報管理装置１又は情報記憶装置４に有線通信又は無線通信により送信可能な通信部７と、測定部５が測定した測定情報を表示する表示部８と、測定部５、記憶部６、通信部７及び表示部８に対して動作タイミングや動作の指示等を行う制御部９と、制御部９から各部への指示等を外部入力可能な操作部１５０と、時計部１５１と、を備えている。
【００２８】
記憶部６は、例えば最大５００回分の測定情報を記憶することができ、制御部９は、測定部５により測定した測定情報を測定日時と共に記憶部６に記憶させる。換言すれば、測定装置３は、生体情報又は生体の活動情報の測定情報を記憶する記憶装置である。また、記憶部６には、表示部８の画面デザインのプログラム、測定情報を表示部８に表示させるためのプログラムなど、測定装置３において使用されるアプリケーションを動作させるための各種プログラムが記憶されている。更に、記憶部６には、操作部１５０の操作を介して外部より入力された、測定情報に関する目標情報が記憶されている。
【００２９】
患者は、測定装置３を用いて生体情報又は生体の活動情報を測定することができると共に、その測定情報を、表示部８を通じて確認することができる。つまり、制御部９は、操作部１５０の操作により、測定部５に対して生体情報又は生体の活動情報を測定させると共に、測定部５が測定した測定情報を表示部８に表示させる。また制御部９は、測定部５により測定された測定情報を、測定日時と共に記憶部６に記憶させる。更に制御部９は、記憶部６に測定日時と関連付けられて記憶された測定情報を、通信部７から情報管理装置１又は情報記憶装置４に送信させることができる。
【００３０】
更に、通信部７は、情報管理装置１及び情報記憶装置４に対して測定情報を送信可能であることに加えて、情報管理装置１や情報記憶装置４から所定の情報を受信することができる。つまり、通信部７は、情報管理装置１及び情報記憶装置４それぞれとの間で、情報の送受信が可能である。
【００３１】
表示部８は、制御部９による各種指示に基づき、様々な情報を表示することができる。例えば、測定部５により測定された測定情報や、操作部１５０の操作に基づく各種設定画面などを表示可能である。
【００３２】
操作部１５０は、例えばボタンやタッチスクリーン等で構成され、ユーザーは、操作部１５０を操作することにより、制御部９から各部へ出される指示等を操作することができる。例えば、操作部１５０を操作することにより、測定情報に関する目標情報を設定することが可能である。具体的には、制御部９は、操作部１５０の操作により設定された目標情報を記憶部６に記憶させることができる。また制御部９は、測定部５により生体情報等が測定された際には、測定情報と目標情報とを比較し、測定情報が目標情報を達成しているか否かを判断すると共に、表示部８に判断結果を表示させることができる。
【００３３】
なお、記憶部６、通信部７、表示部８、制御部９、操作部１５０及び時計部１５１は、ＣＰＵ（Central Processing Unitの略）などのプロセッサー、メモリ、各種インターフェイス、液晶ディスプレイ、タッチスクリーン、ボタンなどを組み合わせることにより構成される。
【００３４】
[情報記憶装置４]
情報記憶装置４は、生体情報又は生体の活動情報の測定情報を記憶する記憶装置である。また、情報記憶装置４は、例えば、全体が扁平板状に形成された携帯型のＩＣカードであり、患者や医師等の医療従事者が容易に持ち運びすることができる。具体的に、情報記憶装置４は、測定装置３から測定情報を受信する受信部及び情報管理装置１に測定情報を送信する送信部を含む通信部１０と、測定装置３から受信した測定情報を記憶する記憶部１１と、記憶した測定情報等を表示可能な表示部１２と、通信部１０、記憶部１１、及び表示部１２に対して動作タイミングや動作の指示等を行う制御部１３と、時計部１４と、を備えている。
【００３５】
また、情報記憶装置４は、情報管理装置１に対して測定情報を送信可能であることに加えて、測定装置３に対しても所定の情報を送信可能である。更に、情報記憶装置４は、測定装置３から測定情報を受信可能であることに加えて、情報管理装置１からも所定の情報を受信することが可能である。すなわち、情報記憶装置４の通信部１０は、情報管理装置１及び測定装置３それぞれとの間で、情報の送受信が可能である。
【００３６】
記憶部１１は、情報管理装置１や測定装置３から受信した情報（例えば測定装置３から受信した測定情報）を記憶することができる。具体的に、制御部１３は、通信部１０が受信した情報を記憶部１１に記憶させる。情報記憶装置４から情報管理装置１や測定装置３に情報を送信する際には、制御部１３が、記憶部１１に記憶されている情報を読み出し、通信部１０に送信させる。
【００３７】
表示部１２は、情報管理装置１や測定装置３から受信した情報や、情報管理装置１や測定装置３との通信状況や情報の受信状況など、各種情報を表示可能である。例えば、通信部１０が測定装置３から測定情報を受信した際には、制御部１３は、測定情報を受信したことを表す表示を表示部１２に表示させる。
【００３８】
ここで、図１及び図２に示す情報記憶装置４は、測定装置３及び情報管理装置１と所謂、近距離通信が可能である。「近距離通信」の例としては、０〜１０ｃｍ程度の距離で電磁誘導による情報の送受信が可能な非接触通信技術（例えば、ＩＳＯ／ＩＥＣ  １４４４３の省電力ＩＣ通信技術、ＩＳＯ／ＩＥＣ  １８０９２の通信技術、ＦｅｌｉＣａ（ソニー（株）の登録商標））、Ｂｌｕｅｔｏｏｔｈ（Ｂｌｕｅｔｏｏｔｈ  ＳＩＧの登録商標）等が挙げられる。例えば、ＦｅｌｉＣａの通信技術では、１３．５６ＭＨｚの電波で通信し、１０ｃｍ程度までのごく近距離で非接触に１００〜４００ｋｂｐｓの通信が行なわれる。Ｂｌｕｅｔｏｏｔｈでは、２．４５ＧＨｚ帯の電波を利用し、最高２４Ｍｂｐｓの速度で通信を行うことができる。
【００３９】
図１及び図２に示す情報記憶装置４の通信部１０では、各種測定装置３から測定情報を個別に読取ることができるようにするため、０〜１０ｃｍ程度までの近距離の非接触通信技術（ＩＳＯ／ＩＥＣ  １４４４３の省電力ＩＣ通信技術，ＩＳＯ／ＩＥＣ  １８０９２の通信技術、ＦｅｌｉＣａ）が用いられている。
【００４０】
なお、情報記憶装置４は、上述した非接触通信技術に加えて、ＣＰＵなどのプロセッサー、メモリ、各種インターフェイス、液晶ディスプレイなどを組み合わせることにより構成されている。また、情報記憶装置４を、タッチスクリーンやボタン等の操作部を有する構成とすることも可能である。
【００４１】
［情報管理装置１］
次に、生体情報又は生体の活動情報を測定する測定装置３の測定情報を取得し、管理可能な情報管理装置１について説明する。情報管理装置１は、ＣＰＵを含む制御部１５と、ＲＯＭ（Read Only Memoryの略）１６ａ、ＲＡＭ（Random Access Memoryの略）１６ｂ及びハードディスクドライブ１６ｃ（図２ではＨＤＤと表記）を含む記憶部１６と、ＬＣＤ（Liquid Crystal Displayの略）等で構成される表示部１７、マウス及びキーボード等で構成される操作部１８、測定装置３及び情報記憶装置４と通信可能な通信部１９と、外部接続インターフェイス２０と、時間をカウントする時計部２１と、を備えており、これらがバスを介して接続されている。
【００４２】
この情報管理装置１は、制御部１５がＲＯＭ１６ａに格納された基本プログラムを読み出してＲＡＭ１６ｂに展開し、当該基本プログラムに従って全体を統括制御すると共に、ＲＯＭ１６ａ又はハードディスクドライブ１６ｃに格納された情報管理プログラム等の各種アプリケーションプログラムをＲＡＭ１６ｂに展開し、当該各種アプリケーションプログラムに従って各種処理を実行するようになされている。
【００４３】
情報管理装置１は、外部接続インターフェイス２０に接続されたＵＳＢケーブルを介してプリンタ２（図１参照）と接続されており、プリンタ２との間で有線通信が可能となっている。また、情報管理装置１の通信部１９は、測定装置３及び情報記憶装置４と上述した非接触通信技術により無線通信が可能である。つまり、情報管理装置１は、測定装置３及び情報記憶装置４から測定情報が送信されると、通信部１９が測定情報を受信することにより、測定情報を取得し、取得された測定情報は制御部１５によりハードディスクドライブ１６ｃに保存される。
【００４４】
このとき情報管理装置１は、多数の測定装置３から測定情報を受信することが想定されているため、例えばハードディスクドライブ１６ｃに設けられた患者名にそれぞれ対応付けられたフォルダに測定情報を記憶するようになされている。
【００４５】
制御部１５は、ユーザー（例えば医師）の操作部１８に対する操作に応じて、情報管理プログラムが選択されると、情報管理プログラムをハードディスクドライブ１６ｃから読み出してＲＡＭ１６ｂに展開し、情報管理プログラムに従って測定情報の情報処理を実行する。
【００４６】
制御部１５は、例えば測定装置３から測定情報を取得すると、記憶部１６に記憶させると共に、操作部１８の操作に応じて測定情報を表示部１７に表示させることができる。図３は、測定装置３としての血糖計９０、血圧計９１及び歩行強度計９４の測定情報が表示部１７に表示された測定情報表示画面７１を示す図である。以下、血糖計９０、血圧計９１及び歩行強度計９４の測定情報を表示部１７に表示する処理について例示説明する。
【００４７】
＜血糖計９０の測定情報の処理＞
制御部１５は、患者に対応するフォルダに記憶された血糖計９０の測定情報をハードディスクドライブ１６ｃから読み出すと、測定日時と関連付けられた血糖値の測定情報の全てを、予め設定された時間帯区分テーブル上におけるいずれかの時間帯区分に区分する。そして制御部１５は、測定情報としての血糖値及び測定日時と、時間帯区分テーブルにおける時間帯区分と、を関連付けた血糖データベースを生成し、この血糖データベースを例えばハードディスクドライブ１６ｃの患者名に対応するフォルダに記憶する。
【００４８】
なお、上述する時間帯区分テーブルとは、例えば、食前血糖値の測定情報と食後血糖値の測定情報とを自動的に区分けできるように、予め設定されたものであり、１日の時間帯が「朝食前」、「朝食後」、「昼食前」、「昼食後」、「夕食前」、「夕食後」、「就寝前」及び「深夜」の８つに区分されている。
【００４９】
時間帯区分の一例としては、時間帯区分「朝食前」が測定時刻「２：００〜７：００」に対応し、時間帯区分「朝食後」が測定時刻「７：００〜１０：００」に対応し、時間帯区分「昼食前」が測定時刻「１０：００〜１２：００」に対応し、時間帯区分「昼食後」が測定時刻「１２：００〜１５：００」に対応し、時間帯区分「夕食前」が測定時刻「１５：００〜１８：００」に対応し、時間帯区分「夕食後」が測定時刻「１８：００〜２１：００」に対応し、時間帯区分「就寝前」が測定時刻「２１：００〜２４：００」に対応し、時間帯区分「深夜」が測定時刻「２４：００〜２：００」に対応するようにすることができる。
【００５０】
その後、制御部１５は、図３に示すような測定情報表示画面７１を表示する。図３に示す測定情報表示画面７１には、基本メニューバー７２と、患者情報表示領域７３と、測定情報表示画面７１を閉じて終了させる終了ボタン７４と、表示する情報を選択可能な表示情報選択メニューバー７５と、表示情報選択メニューバー７５から選択された項目に応じた表示情報を表示する測定情報表示領域７６と、患者情報表示領域７３の近傍に設けられ、患者情報表示領域７３に表示された患者に設定されている、基本情報、目標値、時間帯等の登録情報を確認・変更可能な画面に移行させる登録情報ボタン７７と、目標値を変更可能な画面に直接移行させる目標値編集ボタン７８と、が表示されている。
【００５１】
基本メニューバー７２には、患者の識別情報が登録された患者データベースから特定の患者を検索可能な患者検索画面に移行できる患者ボタン７９、保有する全測定装置３の一元管理を行う機器管理画面に移行可能な機器ボタン８０、情報管理装置１外に情報を記憶するサーバーがある場合にはそのサーバーにアクセス可能なサーバーボタン８１、測定装置３や情報記憶装置４との間で近距離通信を開始させることが可能なＮＦＣ（Near Field Communicationの略）開始ボタン８２、情報管理プログラムを終了するログアウトボタン８３、プリンタ２に対して印刷指示が可能な印刷ボタン８４、などが選択可能に表示されている。操作部１８の操作によりいずれかのボタンが選択されると、制御部１５は、その操作に対応した画面を表示部１７に表示させる。
【００５２】
表示情報選択メニューバー７５には、トレンドボタン７５Ａ、２４Ｈ（２４時間の意味）ボタン７５Ｂ、平均ボタン７５Ｃ、データノートボタン７５Ｄ、及びサマリーノートボタン７５Ｅが設けられ、いずれか１つが選択されるようになされており、ここで示す情報管理装置１では、図３に示すようにデフォルトでトレンドボタン７５Ａが選択されている。なお、デフォルトで選択されるボタンを変更することも可能である。
【００５３】
操作部１８の操作を介して表示情報選択メニューバー７５におけるいずれか１つが選択されると、制御部１５は、その選択された項目に対応したグラフ及びそのグラフに関連した各種情報等を表示部１７に表示させる。
【００５４】
測定情報表示領域７６には、表示された測定情報の測定期間を示す期間情報表示領域１２０Ａと、表示させる測定情報の種別を選択可能な種別選択ボタン１２０Ｂと、この種別選択ボタン１２０Ｂにより選択された測定情報（図３では血糖計９０、血圧計９１及び歩行強度計９４の測定情報）を、測定期間を横軸にとってグラフ表示するグラフ表示領域１２０Ｃと、新たに取得した測定情報とそれ以前に既に取得済みの測定情報とを識別可能にする最新データボタン１２０Ｄと、が設けられている。
【００５５】
グラフ表示領域１２０Ｃには、期間情報表示領域１２０Ａに表示された所定期間においての、血糖計９０の測定情報のグラフが表示された血糖値グラフ領域１２５Ａと、歩行強度計９４の測定情報のグラフが表示された活動量グラフ領域１２５Ｂと、血圧の測定情報のグラフが表示された血圧グラフ領域１２５Ｃと、が設けられている。
【００５６】
血糖値グラフ領域１２５Ａには、期間情報表示領域１２０Ａに表示された期間を横軸、血糖値を縦軸とした散布図が表示されている。つまり、血糖値の測定情報は、血糖値の測定情報と関連付けられた測定日時に基づいて、グラフ上にプロットされている。より具体的に、制御部１５は、ハードディスクドライブ１６ｃから患者情報表示領域７３に表示された患者氏名に対応する血糖データベースを読み出し、測定日時に基づいて所定期間における測定情報を血糖データベースから抽出し、測定日時別にプロットして散布図を生成し、血糖値グラフ領域１２５Ａに表示する。
【００５７】
更に、血糖値グラフ領域１２５Ａには、血糖値の測定情報のみならず、測定情報の目標情報が併せて表示されている。具体的に、図３に示す血糖値の散布図には、食前の血糖値の目標範囲である８０［ｍｇ／ｄＬ］以上、かつ、１３０［ｍｇ／ｄＬ］未満が、他の部分と背景を異なる色にすることにより強調されていると共に、血糖値を示す縦軸の目盛りに、「８０」及び「１３０」が表示されている。また、図３に示す血糖値の散布図には、食後の血糖値の目標範囲の上限閾値を示す１８０［ｍｇ／ｄＬ］が破線により示されていると共に、縦軸の目盛りに「１８０」が表示されている。
【００５８】
つまり、血糖値グラフ領域１２５Ａには、血糖値の測定情報と、この測定情報の目標情報とが併せて表示されている。換言すれば、制御部１５は、所定期間内での測定情報を示すグラフと共に、その測定情報の目標情報を表示部１７に表示する。具体的に、測定情報の目標情報については、記憶部１６のハードディスクドライブ１６ｃ等に記憶されており、制御部１５は、操作部１８の操作により測定情報を表示部１７に表示させる際に、目標情報をハードディスクドライブ１６ｃ等から読み出し、取得した測定情報と目標情報とからグラフを生成し、測定情報と目標情報とを表示部１７に表示する。
【００５９】
なお、制御部１５は、血糖値グラフ領域１２５Ａに表示する目標情報として、情報管理装置１の記憶部１６に記憶されている目標情報を用いることができるが、例えば、情報管理装置１の通信部１９が、血糖計９０から測定情報を取得する際に、血糖計９０に設定されている目標情報を併せて取得し、制御部１５が、この取得した目標情報を記憶部１６に記憶すると共に、この取得した目標情報を血糖値グラフ領域１２５Ａに表示するようにしてもよい。
【００６０】
＜歩行強度計９４の測定情報の処理＞
次に、歩行強度計９４の測定情報の処理について説明する。制御部１５は、例えば患者名に対応するフォルダに記憶された歩行強度計９４の測定情報をハードディスクドライブ１６ｃから読み出し、測定情報の測定日時に基づき期間情報表示領域１２０Ａに表示された期間の測定情報を抽出し、測定情報及び測定日時に基づいて期間情報表示領域１２０Ａに表示された期間を横軸、歩数及び中強度の活動時間を縦軸とした折れ線グラフ及び棒グラフを生成し、上述した活動量グラフ領域１２５Ｂに表示する。
【００６１】
なお、活動量グラフ領域１２５Ｂには、歩数及び中強度の活動時間の測定情報のみならず、測定情報の目標情報が併せて表示されている。具体的に、図３に示す折れ線グラフには、１日の目標歩数である１００００［歩］が破線により表示されていると共に、歩数を示す縦軸に「１００００」が表示されている。また、図３に示す棒グラフには、１日の中強度の目標活動時間である２０［分］が破線により表示されていると共に、縦軸に「２０」が表示されている。
【００６２】
つまり、活動量グラフ領域１２５Ｂには、歩数及び中強度の活動時間の測定情報と、この測定情報の目標情報とが併せて表示されている。換言すれば、制御部１５は、所定期間内での測定情報を示すグラフと共に、その測定情報の目標情報を表示部１７に表示している。より具体的に、制御部１５は、患者情報表示領域７３に表示された患者氏名に対応する活動量の測定情報をハードディスクドライブ１６ｃから読み出し、測定日時に基づいて所定期間における測定情報を抽出し、測定日時別に測定情報を示したグラフ（図３に示す例では歩数の折れ線グラフ及び中強度の活動時間の棒グラフ）を生成し、生成したグラフを活動量グラフ領域１２５Ｂに表示する。
【００６３】
＜血圧計９１の測定情報の処理＞
次に、血圧計９１の測定情報の処理について説明する。制御部１５は、患者に対応するフォルダに記憶された血圧計９１の測定情報をハードディスクドライブ１６ｃから読み出すと、測定日時と関連付けられた血圧の測定情報の全てを、予め設定された時間帯区分テーブル上におけるいずれかの時間帯区分に区分する。そして制御部１５は、血圧値の測定情報及び測定日時と、時間帯区分テーブルにおける時間帯区分と、を関連付けた血圧データベースを生成し、この血圧データベースを例えばハードディスクドライブ１６ｃの患者名に対応するフォルダに記憶する。
【００６４】
なお、上述する時間帯区分テーブルとは、例えば、朝血圧と夜血圧の測定情報を自動的に区分けできるように予め設定されたものであり、１日の中で所定の時間帯に測定された血圧を「朝血圧」と区分し、他の所定の時間帯に測定された血圧を「夜血圧」と区分することができる。時間帯区分の一例としては、「２：００〜１２：００」に測定された血圧を「朝血圧」とし、「１８：００〜２：００」に測定された血圧を「夜血圧」とすることができる。
【００６５】
その後、制御部１５は、ハードディスクドライブ１６ｃから患者情報表示領域７３に表示された患者氏名に対応する血圧データベースを読み出し、測定日時に基づいて期間情報表示領域１２０Ａにおける測定情報を血圧データベースから抽出し、測定情報、測定日時及び時間帯区分に基づいて、期間情報表示領域１２０Ａに表示された期間を横軸、血圧を縦軸としたグラフを生成し、生成したグラフを血圧グラフ領域１２５Ｃに表示する。
【００６６】
図３に示す血圧のグラフには、各測定日時における朝血圧の最高血圧及び最低血圧を示す棒状の朝血圧要素１２６Ａと、各測定日時における夜血圧の最高血圧及び最低血圧を示す棒状の夜血圧要素１２６Ｂと、が表示されている。朝血圧要素１２６Ａ及び夜血圧要素１２６Ｂは、上端が最高血圧値を示し、下端が最低血圧値を示す。なお、朝血圧要素１２６Ａと夜血圧要素１２６Ｂとは、色を異ならせる等することにより容易に区別することができる。
【００６７】
更に、血圧グラフ領域１２５Ｃには、血圧の測定情報のみならず、測定情報の目標情報が併せて表示されている。具体的に、図３に示す血圧のグラフには、最高血圧の目標となる上限閾値を示す１３５［ｍｍＨｇ］が破線により示されていると共に、縦軸に「１３５」が表示されている。また更に、図３に示す血圧のグラフには、最低血圧の目標となる上限閾値を示す８５［ｍｍＨｇ］が破線により示されていると共に、縦軸に「８５」が表示されている。つまり、図３では、朝血圧要素１２６Ａ及び夜血圧要素１２６Ｂの上端が１３５［ｍｍＨｇ］よりも小さく、かつ、下端が８５［ｍｍＨｇ］よりも小さいことが目標値とされている。
【００６８】
＜測定情報に関する目標情報の設定について＞
上述したように、本実施形態の情報管理装置１は、各種測定装置３の測定情報を、その目標情報と共に表示部１７に表示することができる。以下、この目標情報の設定について詳細に説明する。
【００６９】
図４は、情報管理装置１の表示部１７に表示された、測定装置３の測定情報に関する目標情報を設定可能な目標情報設定画面３５を示す図である。目標情報設定画面３５には、患者の氏名及び患者ＩＤが表示された患者情報表示領域３０と、患者情報表示領域３０に表示された患者の基本情報、目標値、時間帯等の登録情報の情報管理装置１からの削除を制御部１５に実行させる登録情報削除ボタン３１と、目標情報設定画面３５から別の登録情報の設定画面へと移行することを選択可能なメニューバー３２と、操作部１８の操作によって目標情報の設定が可能な目標情報設定領域３３と、患者登録情報画面を終了する終了ボタン３４と、が設けられている。
【００７０】
図４に示す目標情報設定領域３３には、血糖値の目標情報が表示された血糖目標値表示領域３６と、活動量の目標情報が表示された活動量目標値表示領域４１と、血圧の目標情報が表示された血圧目標値表示領域４７と、及び体重の目標情報が表示された体重目標値表示領域５１と、が設けられている。
【００７１】
医師等のユーザーは、操作部１８の操作を通じて、患者に応じた目標情報をこの目標情報設定画面３５から設定することができる。換言すれば、制御部１５は、操作部１８の操作に応じて、血糖値等の測定情報に関する目標情報の設定を実行し、ここで実行された目標情報の設定を記憶部１６に記憶させる。なお、ここで言う目標情報の設定とは、新規に目標情報を設定することのみならず、過去に設定された目標情報を変更（再設定）することも含む意味である。
【００７２】
図４に示すように、血糖値の目標情報が表示された血糖目標値表示領域３６には、１カ月の測定回数の目標値を設定可能な回数目標値欄３７と、食前の血糖値の目標範囲を設定可能な食前血糖目標値欄３８と、食後の血糖値の目標範囲を設定可能な食後血糖目標値欄３９と、患者別の目標値であるか複数の患者に共通の目標値であるかを選択できる目標値種別選択欄４０と、が設けられている。
【００７３】
回数目標値欄３７では、操作部１８の操作を通じて、１カ月の測定回数の目標値を設定することができる。図４に示す例では、１カ月の測定回数の目標値を４０［回］としている。また、食前血糖目標値欄３８では、操作部１８の操作を通じて、食前の血糖値の目標範囲を設定することができる。図４に示す例では、食前の血糖値の目標範囲を８０［ｍｇ／ｄＬ］以上、かつ、１３０［ｍｇ／ｄＬ］未満（図４では１２９［ｍｇ／ｄＬ］以下として表記）としている。更に、食後血糖目標値欄３９では、操作部１８の操作を通じて、食後の血糖値の目標範囲を設定することができる。図４に示す例では、食後の血糖値の目標範囲を８０［ｍｇ／ｄＬ］以上、かつ、１８０［ｍｇ／ｄＬ］未満（図４では１７９［ｍｇ／ｄＬ］以下として表記）としている。
【００７４】
図４に示すように、活動量の目標情報が表示された活動量目標値表示領域４１には、１日の歩数目標を設定可能な歩数目標値欄４２と、中強度の活動強度レベルを設定可能な活動強度レベル選択欄４３と、１日の中強度の活動時間の目標値を設定可能な活動時間目標値欄４４と、中強度の活動強度レベルの参照表示欄４５と、患者別の目標値であるか複数の患者に共通の目標値であるかを選択できる目標値種別選択欄４６と、が設けられている。
【００７５】
図４に示す例では、１日の歩数目標値が１００００［歩］、中強度の活動強度レベルが３［ＭＥＴｓ］、及び１日の中強度の活動時間の目標値が２０［分］に設定されている。
【００７６】
図４に示すように、血圧の目標情報が表示された血圧目標値表示領域４７には、最高血圧の目標値を設定可能な最高血圧目標値欄４８と、最低血圧の目標値を設定可能な最低血圧目標値欄４９と、患者別の目標値であるか複数の患者に共通の目標値であるかを選択できる目標値種別選択欄５０と、が設けられている。図４に示す例では、最高血圧の目標値が１３５［ｍｍＨｇ］未満に設定され、最低血圧の目標値が８５［ｍｍＨｇ］未満に設定されている。
【００７７】
図４に示すように、体重の目標情報が表示された体重目標値表示領域５１には、体重の目標値を設定可能な体重目標値欄５２と、患者別の目標値であるか複数の患者に共通の目標値であるかを選択できる目標値種別選択欄５３と、が設けられている。図４に示す例では、体重の目標値が６５［ｋｇ］に設定されている。
【００７８】
なお、図４に示す例では、血糖計９０、血圧計９１、体組成計９２、及び歩行強度計９４の測定情報に関する目標情報を示しているが、これに限られるものではなく、体温計９３やパルスオキシメータ９５の目標情報を設定可能な構成としてもよい。
【００７９】
制御部１５は、目標情報設定画面３５を通じて操作部１８により入力された目標情報を、ハードディスクドライブ１６ｃ等の記憶部１６に記憶させる。そして、制御部１５は、測定装置３や情報記憶装置４から取得した測定装置３の測定情報を表示部１７に表示する際に、記憶部１６から目標情報を読み出し、測定情報及び目標情報を含むグラフを生成し、表示部１７に表示する（図３参照）。
【００８０】
＜測定装置３側の目標情報の設定について＞
上述したように、情報管理装置１は、図４に示す目標情報設定画面３５から各種測定装置３の目標情報を設定することができる。更に、情報管理装置１は、目標情報設定画面３５を通じて設定された目標情報を、対応する測定装置３側にも設定することができる。以下、情報管理装置１で設定した目標情報を、測定装置３に設定する詳細を説明する。
【００８１】
図５Ａは、情報管理装置１に設定された目標情報を、測定装置３としての血糖計９０側及び歩行強度計９４側に設定する概要を示す図である。なお、以下、説明の便宜上、測定装置３として血糖計９０を用いる例を説明するが、歩行強度計９４についても同様の手法により歩数や中強度の活動時間の目標情報を設定することが可能である。
【００８２】
情報管理装置１の制御部１５は、操作部１８から入力された目標情報を、通信部１９から測定装置３としての血糖計９０へ送信させることができる。また制御部１５は、測定装置３としての血糖計９０に記憶されている測定情報に関する目標情報を、通信部１９から送信した目標情報、すなわち操作部１８から入力された目標情報に同期させることができる。より具体的に、制御部１５は、測定装置３としての血糖計９０の制御部９に対して目標情報を同期するように指示する同期指示情報を、目標情報と共に通信部１９から送信させる。
【００８３】
図５Ａに示すように、情報管理装置１の通信部１９と、記憶装置側通信部としての血糖計９０の通信部７とは、例えば近距離通信技術を用いることにより相互に通信可能であり、情報管理装置１の制御部１５は、情報管理装置１の通信部１９と血糖計９０の通信部７とが通信状態のときに、ハードディスクドライブ１６ｃ等の記憶部１６から、血糖計９０の測定情報に関する目標情報を読み出し、上述した同期指示情報を生成し、目標情報及び同期指示情報を通信部１９から血糖計９０の通信部７へと送信させる。
【００８４】
情報管理装置１の通信部１９から送信された目標情報及び同期指示情報は、血糖計９０の通信部７により受信される。記憶装置側制御部としての血糖計９０の制御部９は、通信部７が受信した情報が、測定情報に関する目標情報であるか否かを判断し、目標情報であると判断した場合には、その目標情報を記憶装置側記憶部としての記憶部６に記憶させることにより目標情報を同期する。より具体的に、本実施形態の血糖計９０の制御部９は、通信部７が受信した情報が、目標情報及び目標情報を同期するように指示する同期指示情報を含むものであると判断した場合には、受信した目標情報を記憶装置側記憶部としての記憶部６に記憶させることにより目標情報を同期する。
【００８５】
そして、血糖計９０の制御部９は、測定部５により血糖値が測定された際には、記憶部６から目標情報を読み出し、測定部５が測定した測定情報と目標情報とを比較し、測定情報が目標情報を達成しているか否か等を判断し、記憶装置側表示部としての表示部８に判断結果を表示させることができる。判断結果の表示形式としては、例えば、表示部８に表示する画面の背景色を変える方法が挙げられる。
【００８６】
具体的に、本実施形態の血糖計９０の制御部９は、血糖値の測定値が目標範囲内にある場合には、背景を緑色又は黄色（目標範囲中での低血糖領域側を緑色、目標範囲中の高血糖領域側を黄色）にして測定値を表示部８に表示する。また、血糖値の測定値が目標範囲の下限値よりも低い場合（低血糖領域の場合）には、背景を青色にして測定値を表示部８に表示する。更に、血糖値の測定値が目標範囲の上限値よりも高い場合（高血糖領域の場合）には、背景を桃色又は赤色（高血糖領域中で目標範囲の上限値に近い高血糖予備領域を桃色、高血糖予備領域の上限値よりも高い領域を赤色）にして測定値を表示部８に表示する。
【００８７】
したがって、情報管理装置１で設定され血糖計９０に送信された目標情報が、血糖計９０の制御部９によって血糖計９０側で設定されると、血糖計９０の制御部９は、この新たに設定された目標情報に基づき、表示部８に表示する背景色を決定する。
【００８８】
具体的に、図４に示す血糖値に関する目標情報の例では、低血糖領域が７９［ｍｇ／ｄＬ］以下、目標範囲である目標血糖領域のうち低血糖領域側が８０〜１０９［ｍｇ／ｄＬ］、目標範囲である目標血糖領域のうち高血糖領域側が１１０〜１２９［ｍｇ／ｄＬ］、高血糖予備領域が１３０〜１５９［ｍｇ／ｄＬ］、及び高血糖領域が１６０［ｍｇ／ｄＬ］以上で設定されている。したがって、この目標情報が血糖計９０側に送信され、設定されると、血糖計９０の制御部９は、この数値範囲に基づき、上述した各種背景色を測定値と共に表示部８に表示する。
【００８９】
但し、血糖計９０が測定情報と目標情報とを比較した判断結果を表示部８に表示する表示形式については、上述の背景色の変化に限られるものではなく、各種手法により判断結果を表示することができる。
【００９０】
このように、情報管理装置１の操作部１８により入力した、測定情報に関する目標情報を、情報管理装置１の通信部１９を介して測定装置３に送信し、測定装置３の目標情報として設定可能としたことにより、医師等のユーザーは、情報管理装置１の操作により、測定装置３側の目標情報を容易に設定することができる。そのため、例えば、医師が決定した目標情報を患者が誤操作によって変更してしまった場合であっても、医師は情報管理装置１の操作を通じて、目標情報を容易に再設定することができる。
【００９１】
また、本実施形態の情報管理装置１の通信部１９は、測定装置３へ目標情報を送信すると共に、測定装置３の測定情報を受信する。つまり、本実施形態の情報管理装置１の制御部１５は、通信部１９が測定装置３の測定情報を受信するのと同時に、通信部１９に対して、測定装置３の目標情報を測定装置３に送信させる。
【００９２】
更に、本実施形態の情報管理装置１の制御部１５は、通信部１９と測定装置３との通信が開始されたことを検出した場合に、測定情報に関する目標情報を、通信部１９から測定装置３に送信させる。すなわち、本実施形態の情報管理システム１００では、情報管理装置１の通信部１９と測定装置３の通信部７との間で通信が開始されると、測定装置３の測定情報が測定装置３の通信部７から情報管理装置１の通信部１９に送信されると共に、情報管理装置１の目標情報が情報管理装置１の通信部１９から測定装置３の通信部７に送信される。
【００９３】
そして、情報管理装置１の通信部１９は、測定装置３の通信部７から送信された測定情報を受信し、情報管理装置１の制御部１５は、通信部１９が受信した測定情報を記憶部１６に記憶させる。
【００９４】
一方で、測定装置３の通信部７は、情報管理装置１の通信部１９から送信された測定情報に関する目標情報を受信し、測定装置３の制御部９は、通信部７が受信した目標情報を記憶部６に記憶させることにより目標情報を同期する。
【００９５】
このように、本実施形態の情報管理システム１００では、測定装置３から情報管理装置１への測定情報の送信と、情報管理装置１から測定装置３への目標情報の送信と、が同時に実行される。そのため、例えば、医師等のユーザーが操作する情報管理装置１に対して外来患者が持参した測定装置３の測定情報を取り込む際に、測定情報の取り込みと連動して、測定装置３側の目標情報が情報管理装置１側の目標情報と同期する。つまり、測定装置３に設定された目標情報を、測定情報の取り込みの度に、医師等が決めた最新の目標情報に更新することができるため、仮に測定装置３の操作部１５０の誤操作等によって誤った目標情報を測定装置３側に設定してしまったとしても、この誤った目標情報が維持され続けることが抑制される。
【００９６】
更に、本実施形態の情報管理装置１の制御部１５は、通信部１９から測定装置３へ目標情報を送信させると共に、通信部１９から測定装置３へ時計部２１の時刻情報を送信させる。このようにすることにより、本実施形態の情報管理装置１の制御部１５は、測定装置３の時計部１５１の時刻を、情報管理装置１の時計部２１の時刻と同期させる。具体的に、本実施形態の情報管理装置１の制御部１５は、時計部２１の時刻情報と共に、測定装置３の制御部９に対して時刻部１５１の時刻を同期するように指示する時刻同期指示情報を、通信部１９から測定装置３へと送信させる。
【００９７】
より具体的に、情報管理装置１の制御部１５は、通信部１９から測定装置３へ目標情報を送信させる際に、時計部２１から時刻情報を取得すると共に時刻同期指示情報を生成し、目標情報、目標情報の同期指示情報、時刻情報及び時刻同期指示情報を通信部１９から測定装置３へと送信させる。情報管理装置１の通信部１９から送信されたこれらの情報は、測定装置３の通信部７により受信される。測定装置３の制御部９は、時計部１５１の時刻を、通信部７が受信した時刻情報及び時刻同期指示情報に基づき変更、すなわち情報管理装置１の時計部２１の時刻に同期する。
【００９８】
このように、測定装置３の時計部１５１の時刻を、情報管理装置１の時計部２１の時刻と同期させることにより、測定装置３の測定情報が、誤った測定日時と関連付けられて記憶部６に記憶されることを抑制することができる。
【００９９】
また、情報管理装置１の操作部１８は、測定装置３の測定情報及び測定情報の経時的変動の管理に寄与しない装置情報を入力可能であり、情報管理装置１の制御部１５は、操作部１８の操作に基づき、装置情報を、通信部１９から測定装置３に送信させることができる。つまり、本実施形態の情報管理装置１における制御部１５は、上述した測定情報に関する目標情報や時計情報については、情報管理装置１の通信部１９と測定装置３の通信部７とが通信を開始したことを検出した場合に、この通信開始の検出信号に基づき、通信部１９から測定装置３へと送信させるのに対して、上述の装置情報については、操作部１８の操作に基づき、通信部１９から測定装置３へと送信させる。
【０１００】
なお、測定装置３の測定情報及び測定情報の経時的変動の管理に寄与しない装置情報とは、例えば、測定装置３のアラーム設定、音声・ブザー設定、表示部８の明るさ設定などが挙げられる。情報管理装置１の制御部１５は、操作部１８の操作により、これら装置情報を設定可能な機器設定変更画面を表示部１７に表示させる。そして、操作部１８の操作により、装置情報が設定されると、制御部１５は、設定された装置情報を通信部１９から測定装置３に送信させる。これら装置情報は、測定装置３の測定情報に影響しないものであることから、制御部１５はハードディスクドライブ１６ｃ等の記憶部１６に設定を記憶しない。一方で、通信部１９から測定装置３に送信された装置情報は、測定装置３の通信部７により受信され、測定装置３の制御部９によって記憶部６に記憶される。
【０１０１】
図５Ｂは、情報管理装置１に設定された目標情報を、測定装置３としての血圧計９１側及び体組成計９２側に設定する概要を示す図である。なお、以下、説明の便宜上、測定装置３として血圧計９１を用いる例を説明するが、体組成計９２についても同様の手法により目標情報を設定することが可能である。更に、体温計９３やパルスオキシメータ９５についても同様の手法により目標情報の設定が可能である。
【０１０２】
情報管理装置１の制御部１５は、操作部１８から入力された目標情報を、通信部１９から情報記憶装置４へ送信させることができる。また制御部１５は、情報記憶装置４に記憶されている血圧計９１の測定情報に関する目標情報を、通信部１９から送信した目標情報、すなわち操作部１８から入力された目標情報に同期させることができる。より具体的に、制御部１５は、情報記憶装置４の制御部１３に目標情報を同期するように指示する同期指示情報を、目標情報と共に通信部１９から送信させる。
【０１０３】
図５Ｂに示すように、情報管理装置１の通信部１９と、記憶装置側通信部としての情報記憶装置４の通信部１０とは、例えば近距離通信技術を用いることにより相互に通信可能であり、情報管理装置１の制御部１５は、情報管理装置１の通信部１９と情報記憶装置４の通信部１０とが通信状態のときに、ハードディスクドライブ１６ｃ等の記憶部１６から、血圧計９１の測定情報に関する目標情報を読み出し、上述の同期指示情報を生成し、目標情報及び同期指示情報を、通信部１９から情報記憶装置４の通信部１０へと送信させる。
【０１０４】
情報管理装置１の通信部１９から送信された目標情報及び同期指示情報は、情報記憶装置４の通信部１０により受信される。記憶装置側制御部としての情報記憶装置４の制御部１３は、通信部１０が受信した情報が、血圧計９１の測定情報に関する目標情報及びこの目標情報の同期を指示する同期指示情報を含むものであると判断した場合には、その目標情報及び同期指示情報を記憶装置側記憶部としての記憶部１１に記憶させ、情報記憶装置４が記憶している血圧計９１の測定情報に関する目標情報を、情報管理装置１から送信された目標情報に同期する。
【０１０５】
また、情報記憶装置４の制御部１３は、情報管理装置１から受信し記憶部１１に記憶した血圧計９１の測定情報に関する目標情報及び同期指示情報を、通信部１０から血圧計９１へ送信させることができる。つまり、制御部１３は、測定装置３としての血圧計９１に記憶されている測定情報の目標情報を、通信部１０から送信した目標情報、すなわち情報管理装置１の操作部１８から入力された目標情報に同期させることができる。
【０１０６】
図５Ｂに示すように、情報記憶装置４の通信部１０と、測定装置３としての血圧計９１の通信部７とは、例えば近距離通信技術を用いることにより相互に通信可能であり、情報記憶装置４の制御部１３は、情報記憶装置４の通信部１０と血圧計９１の通信部７とが通信状態のときに、記憶部１１から、情報管理装置１から取得した血圧計９１の測定情報に関する目標情報及び同期指示情報を読み出し、目標情報及び同期指示情報を、通信部１０から血圧計９１の通信部７へと送信させる。
【０１０７】
情報記憶装置４の通信部１０から送信された目標情報及び同期指示情報は、血圧計９１の通信部７により受信される。測定装置３としての血圧計９１の制御部９は、通信部７が受信した情報が、血圧計９１の測定情報に関する目標情報及び同期指示情報を含むものであると判断した場合には、その目標情報を記憶部６に記憶させることにより目標情報を同期する。
【０１０８】
そして、血圧計９１の制御部９は、測定部５により血圧が測定された際には、記憶部６から目標情報を読み出し、測定部５が測定した測定情報と目標情報とを比較し、測定情報が目標情報を達成しているか否か等を判断し、表示部８に判断結果を表示させることができる。判断結果の表示形式としては、例えば、表示部８に表示する画面の背景色を変える方法が挙げられるが、これに限られるものではなく、各種手法により判断結果を表示することができる。
【０１０９】
このように、情報管理装置１の操作部１８により入力した、測定情報に関する目標情報を、情報管理装置１の通信部１９から、情報記憶装置４を介して測定装置３に送信し、測定装置３の目標情報として設定することができる。なお、情報管理装置１と情報記憶装置４との間の情報の送受信は、上述した情報管理装置１と血糖計９０との間の送受信と同様である。例えば、本実施形態の情報管理装置１の通信部１９は、情報記憶装置４に目標情報を送信すると共に、情報記憶装置４が記憶している測定装置３の測定情報を受信する。つまり、本実施形態の情報管理装置１の制御部１５は、通信部１９が情報記憶装置４から測定装置３の測定情報を受信するのと同時に、通信部１９に対して、測定装置３の目標情報を情報記憶装置４に送信させる。
【０１１０】
更に、情報記憶装置４と測定装置３との情報の送受信も同様である。具体的に、本実施形態の情報記憶装置４の制御部１３は、通信部１０が測定装置３から測定情報を受信するのと同時に、通信部１０に対して、情報管理装置１から取得した測定装置３の目標情報を測定装置３に送信させる。
【０１１１】
また更に、本実施形態の情報管理装置１の制御部１５は、通信部１９と情報記憶装置４との通信が開始されたことを検出した場合に、測定情報に関する目標情報を、通信部１９から情報記憶装置４に送信させる。すなわち、本実施形態の情報管理システム１００では、情報管理装置１の通信部１９と情報記憶装置４の通信部１０との間で通信が開始されると、情報記憶装置４の記憶部１１に記憶されている測定装置３の測定情報が情報記憶装置４の通信部１０から情報管理装置１の通信部１９に送信されると共に、情報管理装置１の目標情報が情報管理装置１の通信部１９から情報記憶装置４の通信部１０に送信される。
【０１１２】
また、情報記憶装置４と測定装置３との間の情報の送受信も同様である。つまり、本実施形態の情報管理システム１００では、情報記憶装置４の通信部１０と測定装置３の通信部７との間で通信が開始されると、測定装置３の記憶部６に記憶されている測定情報が測定装置３の通信部７から情報記憶装置４の通信部１０に送信されると共に、情報管理装置１から取得した目標情報が情報記憶装置４の通信部１０から測定装置３の通信部７に送信される。
【０１１３】
そして、情報管理装置１の通信部１９は、情報記憶装置４の通信部１０から送信された測定情報を受信し、情報管理装置１の制御部１５は、通信部１９が受信した測定情報を記憶部１６に記憶させる。一方で、情報記憶装置４の通信部１０は、情報管理装置１の通信部１９から送信された測定装置３の測定情報に関する目標情報を受信し、情報記憶装置４の制御部１３は、通信部１０が受信した目標情報を記憶部１１に記憶させる。
【０１１４】
また、情報記憶装置４の通信部１０は、測定装置３の通信部７から送信された測定情報を受信し、情報記憶装置４の制御部１３は、通信部１０が受信した測定情報を記憶部１１に記憶させる。一方で、測定装置３の通信部７は、情報記憶装置４の通信部１０から送信された測定装置３の測定情報に関する目標情報を受信し、測定装置３の制御部９は、通信部７が受信した目標情報を記憶部６に記憶させる。
【０１１５】
更に、本実施形態の情報管理装置１の制御部１５は、通信部１９から情報記憶装置４へ測定装置３の測定情報に関する目標情報を送信させると共に、通信部１９から情報記憶装置４へ時計部２１の時刻情報を送信させる。情報記憶装置４の制御部１３は、この時刻情報を記憶部１１に記憶させる。そして、本実施形態の情報記憶装置４の制御部１３は、通信部１０から測定装置３へ、情報管理装置１から取得した測定装置３の目標情報を送信させると共に、情報管理装置１から取得した時刻情報を送信させる。このようにすることにより、測定装置３の時計部１５１の時刻を、情報管理装置１の時計部２１の時刻と同期させることができる。
【０１１６】
また更に、情報管理装置１の操作部１８は、測定装置３の測定情報及び測定情報の経時的変動の管理に寄与しない装置情報（例えばアラーム設定、音声・ブザー設定、表示部８の明るさ設定など）を入力可能であり、情報管理装置１の制御部１５は、操作部１８の操作に基づき、装置情報を、通信部１９から情報記憶装置４に送信させることができる。つまり、本実施形態の情報管理装置１における制御部１５は、上述した測定情報に関する目標情報や時計情報については、情報管理装置１の通信部１９と情報記憶装置４の通信部１０とが通信を開始したことを検出した場合に、この通信開始の検出信号に基づき、通信部１９から情報記憶装置４へと送信させるのに対して、上述の装置情報については、操作部１８の操作に基づき、通信部１９から情報記憶装置４へと送信させる。情報記憶装置４の通信部１０は装置情報を受信し、制御部１３は記憶部１１にこの装置情報を記憶させる。そして、情報記憶装置４と測定装置３との間で通信する際に、情報記憶装置４の制御部１３は、記憶部１１から装置情報を読み出し、通信部１０から測定装置３へ送信させる。測定装置３の制御部９は、通信部７が受信した装置情報を記憶部６に記憶させる。
【０１１７】
＜各種測定装置３の間での情報共有について＞
以上のとおり、本実施形態の情報管理装置１及び情報管理システム１００によれば、各種の測定装置３の測定情報を一元管理することができる。したがって、情報管理装置１と各測定装置３との間で、情報記憶装置４を介して又は介することなく、測定情報及び目標情報の送受信を行う際に、情報管理装置１がこの送受信の前に別種の測定装置３から取得した情報を、今回の測定情報及び目標情報の送受信の際に利用することもできる。
【０１１８】
例えば、情報管理装置１が、測定装置３としての体組成計９２から情報記憶装置４を介して測定情報を取得した場合に、情報管理装置１は、その患者の最新の体重情報等（生体情報）を取得する。その後、情報管理装置１が、測定装置３としての歩行強度計９４から情報記憶装置４を介さずに測定情報を取得した場合に、情報管理装置１は、歩行強度計９４に対して目標情報を送信する際に、体組成計９２から取得した最新の体重情報を、歩行強度計９４に送信することができる。その他に、体組成計９２から取得した年齢、身長、基礎代謝量等の情報を歩行強度計９４に送信するようにしてもよい。
【０１１９】
つまり、情報管理装置１は、各種の測定装置３の測定情報を一元管理することができるため、１つの測定装置３の測定情報を、別種の測定装置３の設定情報や目標情報として、当該別種の測定装置３に供給することができる。具体的に、情報管理装置１の制御部１５は、ある測定装置３又は情報記憶装置４と通信し測定情報を受信した後、通信状態を維持したまま、同一患者の別種の測定装置３から既に取得し記憶部１６に記憶されている測定情報から、通信中の測定装置３又は情報記憶装置４の記憶情報と異なる一致しない情報を検索する。そして、制御部１５が、通信中の測定装置３又は情報記憶装置４の記憶情報と一致しない測定情報を検出した場合には、当該一致しない測定情報が記憶部１６に記憶された日時等に基づき、通信中の測定装置３又は情報記憶装置４にその情報自体又はその情報に基づく目標情報を送信するか否かを判断する。
【０１２０】
＜情報管理装置１から測定装置３側の目標情報を設定する方法＞
最後に、上述した測定装置３側の目標情報を、情報管理装置１から設定する方法について説明する。図６Ａは、情報管理装置１から直接、測定装置３の目標情報を設定する設定方法の手順を示すフローチャート図である。図６Ａに示すように、この設定方法は、情報管理装置１の操作部１８から測定装置３の測定情報に関する目標情報を入力するステップＳ１と、入力された目標情報を情報管理装置１の記憶部１６に記憶するステップＳ２と、操作部１８から入力された又は記憶部１６が記憶した目標情報を情報管理装置１の通信部１９から測定装置３に送信するステップＳ３と、測定装置３の通信部７が情報管理装置１の通信部１９から送信された目標情報を受信するステップＳ４と、測定装置３の記憶部６に記憶されている目標情報を情報管理装置１から受信した目標情報に同期するステップＳ５と、を含むものである。
【０１２１】
また、図６Ｂは、情報管理装置１から情報記憶装置４を介して、測定装置３の目標情報を設定する設定方法の手順を示すフローチャート図である。図６Ｂに示すように、この設定方法は、情報管理装置１の操作部１８から測定装置３の測定情報に関する目標情報を入力するステップＳ１と、入力された目標情報を情報管理装置１の記憶部１６に記憶するステップＳ２と、操作部１８から入力された又は記憶部１６が記憶した目標情報を情報管理装置１の通信部１９から情報記憶装置４に送信するステップＳ３と、送信された目標情報を情報記憶装置４の通信部１０が受信するステップＳ４と、受信した目標情報を情報記憶装置４の記憶部１１が記憶するステップＳ５と、情報記憶装置４と測定装置３とを通信させた状態で、情報記憶装置４の記憶部１１に記憶した目標情報を情報記憶装置４の通信部１０から測定装置３へ送信するステップＳ６と、測定装置３の通信部７が情報記憶装置４の通信部１０から送信された目標情報を受信するステップＳ７と、測定装置３の記憶部６に記憶されている目標情報を情報記憶装置４から受信した目標情報に同期するステップＳ８と、を含むものである。
【０１２２】
図６Ａ、図６ＢのステップＳ３では、情報管理装置１が、測定装置３又は情報記憶装置４から測定装置３の測定情報を受信するのと同時に、目標情報を通信部１９から測定装置３又は情報記憶装置４に送信することが好ましい。この方法によれば、医師と患者とが生体情報等の測定値と目標値について話し合い、医師が決定した目標情報を、情報管理装置１を利用して、その場で測定装置３又は情報記憶装置４に設定することができる。
【０１２３】
更に、図６Ａ、図６ＢのステップＳ３での通信部１９から測定装置３又は情報記憶装置４への目標情報の送信は、制御部１５が、通信部１９と測定装置３又は情報記憶装置４とが通信を開始したことを検出した場合に、実行されることが好ましい。同様に、図６ＢのステップＳ６での通信部１０から測定装置３への目標情報の送信についても、情報記憶装置４の制御部１３が、情報記憶装置４の通信部１０と測定装置３の通信部７とが通信を開始したことを検出した場合に、実行されることが好ましい。
【０１２４】
なお、本発明に係る情報管理装置及び情報管理システムは、上述した実施形態の構成に限定されるものではなく、特許請求の範囲で記載された内容を逸脱しない範囲で、様々な構成により実現することが可能である。例えば、上述した情報管理装置１は、記憶部１６を備え、この記憶部１６に患者データベース、測定装置データベース、目標情報、情報管理プログラム等を記憶しているが、例えば、情報管理装置とは別のサーバー等の大容量外部記憶装置にこれらの情報を記憶しておき、情報管理装置の通信部を通じて大容量外部記憶装置と通信することにより、これらの情報を取得及び使用するようにしてもよい。また、上述した情報管理装置１は、表示部１７を備え、この表示部１７に測定装置３による測定情報や目標情報を表示するものであるが、例えば、情報管理装置の通信部を介して、情報管理装置とは別の表示装置に、表示させたい情報を送信し、表示装置において測定情報や目標情報を表示させるようにしてもよい。更に、上述した情報管理装置１の制御部１５は、測定装置３や情報記憶装置４が記憶している目標情報を同期させる同期指示情報を生成し、目標情報と共に通信部１９に送信させるものであるが、この構成に限られるものではなく、例えば、測定装置３や情報記憶装置４を、情報管理装置１から受信する全ての情報を同期するように構成することもできる。
【０１２５】
更に、上述した情報管理装置１では、通信部１９として、外部接続インターフェイス２０に接続され、測定装置３や情報記憶装置４と近距離通信可能な通信装置としてのリーダ／ライタ装置を使用しているが、これに限られるものではなく、情報管理装置自体が測定装置３や情報記憶装置４と通信可能な通信部を有する構成としてもよい。
【０１２６】
また、上述した情報管理装置１として機能させるために、コンピュータを好適に用いることができ、そのようなコンピュータは、情報管理装置１の各機能を実現する処理内容を記述した情報管理プログラムを該コンピュータの記憶部１６に格納しておき、該コンピュータの制御部１５によってこの情報管理プログラムを読み出して実行させることで実現することができる。すなわち、この情報管理プログラムは、コンピュータを、生体情報又は生体の活動情報の測定情報を記憶する記憶装置と通信可能であり測定情報を取得する通信手段、その測定情報に関する目標情報を入力可能な操作手段、記憶装置と通信可能な通信手段、及び操作手段から入力された目標情報を、通信手段から記憶装置へ送信させることにより、記憶装置に記憶されている測定情報の目標情報を操作部から入力された目標情報に同期させる制御手段、として機能させるものである。
【０１２７】
また、上述の通信手段、操作手段及び制御手段に加えて、このコンピュータを、記憶装置の測定情報と目標情報とからグラフを生成するグラフ生成手段として機能させる情報管理プログラムとしてもよい。
【０１２８】
なお、これらの情報管理プログラムは、コンピュータ読取り可能な記録媒体に記録可能である。また、この情報管理プログラムを、ネットワークを通じてコンピュータに提供するようにすることも可能である。
【産業上の利用可能性】
【０１２９】
本発明は、情報管理装置及び情報管理システムに関する。
【符号の説明】
【０１３０】
１：情報管理装置
２：プリンタ
３：測定装置（記憶装置）
４：情報記憶装置（記憶装置）
５：測定装置の測定部
６：測定装置の記憶部（記憶装置側記憶部）
７：測定装置の通信部（記憶装置側通信部）
８：測定装置の表示部（記憶装置側表示部）
９：測定装置の制御部（記憶装置側制御部）
１０：情報記憶装置の通信部（記憶装置側通信部）
１１：情報記憶装置の記憶部（記憶装置側記憶部）
１２：情報記憶装置の表示部
１３：情報記憶装置の制御部（記憶装置側制御部）
１４：情報記憶装置の時計部
１５：情報管理装置の制御部
１６：情報管理装置の記憶部
１６ａ：ＲＯＭ
１６ｂ：ＲＡＭ
１６ｃ：ハードディスクドライブ
１７：情報管理装置の表示部
１８：情報管理装置の操作部
１９：情報管理装置の通信部
２０：情報管理装置の外部接続インターフェイス
２１：情報管理装置の時計部
３０：患者情報表示領域
３１：目標情報削除ボタン
３２：メニューバー
３３：目標情報設定領域
３４：終了ボタン
３５：目標情報設定画面
３６：血糖目標値表示領域
３７：回数目標値欄
３８：食前血糖目標値欄
３９：食後血糖目標値欄
４０：目標値種別選択欄
４１：活動量目標値表示領域
４２：歩数目標値欄
４３：活動強度レベル選択欄
４４：活動時間目標値欄
４５：参照表示欄
４６：目標値種別選択欄
４７：血圧目標値表示領域
４８：最高血圧目標値欄
４９：最低血圧目標値欄
５０：目標値種別選択欄
５１：体重目標値表示領域
５２：体重目標値欄
５３：目標値種別選択欄
７１：測定情報表示画面
７２：基本メニューバー
７３：患者情報表示領域
７４：終了ボタン
７５：表示情報選択メニューバー
７５Ａ：トレンドボタン
７５Ｂ：２４Ｈボタン
７５Ｃ：平均ボタン
７５Ｄ：データノートボタン
７５Ｅ：サマリーノートボタン
７６：測定情報表示領域
７７：登録情報ボタン
７８：目標値編集ボタン
７９：患者ボタン
８０：機器ボタン
８１：サーバーボタン
８２：ＮＦＣ開始ボタン
８３：ログアウトボタン
８４：印刷ボタン
９０：血糖計（測定装置）
９１：血圧計（測定装置）
９２：体組成計（測定装置）
９３：体温計（測定装置）
９４：歩行強度計（測定装置）
９５：パルスオキシメータ（測定装置）
１００：情報管理システム
１２０Ａ：期間情報表示領域
１２０Ｂ：種別選択ボタン
１２０Ｃ：グラフ表示領域
１２０Ｄ：最新データボタン
１２５Ａ：血糖値グラフ領域
１２５Ｂ：活動量グラフ領域
１２５Ｃ：血圧グラフ領域
１２６Ａ：朝血圧要素
１２６Ｂ：夜血圧要素
１５０：測定装置の操作部
１５１：測定装置の時計部
【図１】
2016182249.tif 000003
【図２】
2016182249.tif 000004
【図３】
2016182249.tif 000005
【図４】
2016182249.tif 000006
【図５Ａ】
2016182249.tif 000007
【図５Ｂ】
2016182249.tif 000008
【図６Ａ】
2016182249.tif 000009
【図６Ｂ】
2016182249.tif 000010